Podtech/llm-jp-corpus-v4-ja_patent huggingface dataset:
【手続補正書】
【提出日】令和2年2月6日(2020.2.6)
【手続補正１】
【補正対象書類名】明細書
【補正対象項目名】００２０
【補正方法】変更
【補正の内容】
【００２０】
表示部２２８の上下に３つずつ配置された操作ボタン２７１の機能は、表示部２２８の表示内容に応じて変化する。十字キー２７４は上、下、左、右に対応したキーを有し、十字キー２７４の中央にはＳＥＴボタン２７５が配置されている。十字キー２７４はカーソル移動の指示入力などに、ＳＥＴボタン２７５は選択された項目の実行や決定の指示入力に主に用いられる。ＨＯＭＥボタン２７６は、リモコン２００のＨＯＭＥ画面への遷移を指示するために用いられる。ＭＥＮＵボタン２７７はリモコン２００のＭＥＮＵ画面への遷移を指示するために用いられる。ＢＡＣＫボタン２７８はキャンセル指示や一つ前の画面への遷移を指示するために用いられる。電源スイッチ２７２以外の各種のキー・ボタン２７１，２７３〜２７８は、リモコン２００の操作部２７０（図３）に含まれる。
【手続補正２】
【補正対象書類名】明細書
【補正対象項目名】００２８
【補正方法】変更
【補正の内容】
【００２８】
また、画像処理部１２４は、撮影によって取得された画像（撮像画像）から制御用の情報を生成することもできる。例えば、コントラストＡＦを実施する場合、画像処理部１２４は焦点検出領域におけるＡＦ評価値を生成し、システム制御部１５０に提供することができる。また、画像処理部１２４は、輝度評価値を生成したり、輝度ヒストグラムを生成したりしてもよい。さらに、画像処理部１２４は、時系列的な撮影によって取得された複数の画像（例えば複数の動画フレーム）間において、予め定められた画像領域の移動先を検出することができる。画像間における特定領域の移動方向および移動量の検出は、例えばテンプレートマッチングを用いた動きベクトルの検出処理として公知な方法を用いることができるが、それに限定されない。例えば焦点検出領域（ＡＦ枠）をテンプレートとして設定することにより、ＡＦ枠を追尾することが可能になり、後述する追尾ＡＦが実現できる。
【手続補正３】
【補正対象書類名】明細書
【補正対象項目名】００３５
【補正方法】変更
【補正の内容】
【００３５】
システムタイマー１５３は各種制御に用いる時間や、内蔵時計の時間を計測する。
モード切替スイッチ１６０は、カメラ１００の動作モードを静止画記録モード、動画記録モード、再生モード等のいずれかに切り替える。静止画記録モードには、オート撮影モード、オートシーン判別モード、マニュアルモード、絞り優先モード（Ａｖモード）、シャッター速度優先モード（Ｔｖモード）、シーンモード、プログラムＡＥモード、カスタムモード等がある。シーンモードは、スポーツ、雪景色、花火など、撮影シーンの種類に応じたパラメータの設定が自動的に行われるモードである。これらのモードの少なくとも１つはモード切り替えスイッチ１６０によって選択可能であってよい。あるいは、モード切り替えスイッチ１６０で静止画撮影モードを選択したのち、他の操作部材を用いて静止画撮影モードに含まれる複数のモードのいずれかを選択するようにしてもよい。動画撮影モードにも複数のモードが含まれてもよい。
【手続補正４】
【補正対象書類名】明細書
【補正対象項目名】００３７
【補正方法】変更
【補正の内容】
【００３７】
操作部１７０は、図１に示した操作部材（ダイヤル１７１〜拡大ボタン１７７）をまとめて示している。これらの操作部材の機能は、例えば、表示部１２８の表示内容に応じて動的に割り当てされてよい。例えば、メニューボタン、終了ボタン、戻るボタン、画像送りボタン、ジャンプボタン、絞込みボタン、属性変更ボタン等の機能が割り当てられてよい。例えば、メニューボタンが操作されると、システム制御部１５０はユーザーが各種の設定を行うためのメニュー画面を表示部１２８に表示させる。ユーザーは、例えば十字キー１７４およびＳＥＴボタン１７５の操作を組み合わせて、あるいはタッチパネル１２８ａの操作により、メニュー画面から各種の設定や指示を入力することができる。
【手続補正５】
【補正対象書類名】明細書
【補正対象項目名】００４１
【補正方法】変更
【補正の内容】
【００４１】
外部Ｉ／Ｆ１９３は、外部機器との通信インタフェースであり、ケーブルを接続するためのコネクタを有する。例えば、パーソナルコンピュータなどを接続するためのＵＳＢインタフェース、外部モニタなどを接続するためのＨＤＭＩ（登録商標）、リモコン２００用のインタフェースと、対応するコネクタを備える。通信Ｉ／Ｆ１９２は、外部機器との通信インタフェースであり、無線通信用のアンテナや変復調回路などを含む。通信Ｉ／Ｆ１９２は、例えば無線ＬＡＮやＢｌｕｅｔｏｏｔｈ（登録商標）などの規格に準じた無線通信を行うためのアンテナ並びに回路を有する。
【手続補正６】
【補正対象書類名】明細書
【補正対象項目名】００５４
【補正方法】変更
【補正の内容】
【００５４】
電源制御部２８０は、電池検出回路、ＤＣ−ＤＣコンバータ、通電するブロックを切り替えるスイッチ回路等により構成され、電源の装着の有無、電源の種類、電池残量の検出を行う。また、電源制御部２８０は、これら検出結果およびリモコン制御部２５０の制御に基づいてＤＣ−ＤＣコンバータを制御し、必要な電圧を必要な期間、各部へ供給する。 
【手続補正７】
【補正対象書類名】明細書
【補正対象項目名】００５５
【補正方法】変更
【補正の内容】
【００５５】
電源部２３０は、一次電池、二次電池、もしくはＡＣアダプタであってよい。外部Ｉ／Ｆ２９３は、カメラ１００との通信インタフェースであり、ケーブル２９１が接続される。カメラ１００との通信は、外部Ｉ／Ｆ２９３を介し、リモコン制御部２５０の制御に従って実施される。通信Ｉ／Ｆ２９２は、外部機器との通信インタフェースであり、無線通信用のアンテナや変復調回路などを含む。通信Ｉ／Ｆ２９２は、例えば無線ＬＡＮやＢｌｕｅｔｏｏｔｈ（登録商標）などの規格に準じた無線通信を行うためのアンテナ並びに回路を有する。
【手続補正書】
【提出日】令和2年5月26日(2020.5.26)
【手続補正１】
【補正対象書類名】明細書
【補正対象項目名】００１９
【補正方法】変更
【補正の内容】
【００１９】
第１給紙装置２０１は、画像形成装置１０１からの給紙の開始を指示する給紙要求に応じて、画像形成装置１０１への給紙を開始する。第１給紙装置２０１は、複数枚のシートを収容する給紙段３０と、給紙段３０から第１給紙装置２０１の外部へシートを搬送するための搬送パス３９と、搬送パス３９に沿って設けられる各種ローラ及びセンサとを備える。搬送パス３９には、ピックアップローラ等の分離給紙部３１、３２と、縦パスローラ３３と、搬送ローラ対３４、３５と、排紙ローラ３６と、水平パス搬送センサ３７とが設けられる。
【手続補正２】
【補正対象書類名】明細書
【補正対象項目名】００３３
【補正方法】変更
【補正の内容】
【００３３】
以上のような構成の画像形成システム１では、画像形成装置１０１が、シート供給機構１０２からの給紙のタイミングを、シート供給機構１０２の構成や、シートの搬送速度、画像形成のタイミングに応じて決定する。具体的には、画像形成装置１０１のＣＰＵ５１１は、シートがシート供給機構１０２を構成する装置内部の搬送パスから画像形成装置１０１の装置内の水平パス１５を二次転写部２１まで搬送される距離を算出する。画像形成装置１０１のＣＰＵ５１１は、感光ドラム２２〜２５に画像を形成し、該画像が二次転写部２１に搬送されるまでの時間を算出する。画像形成装置１０１のＣＰＵ５１１は、シートのシート供給機構１０２の装置内における搬送速度及び画像形成装置１０１の装置内における搬送速度を算出する。
【手続補正３】
【補正対象書類名】明細書
【補正対象項目名】００４５
【補正方法】変更
【補正の内容】
【００４５】
１ページ目の給紙開始のタイミングは、１ページ目に形成される画像の作像開始タイミングよりも時間「ａｔｐ１」だけ早い。時間「ａｔｐ１」は、「ａｔ１−（ａｔ４＋ａｔ３＋ａｔ２）」で表される。このとき、取込部１７の直前でシートが待機する時間ａｔ３は０以上である。つまり画像形成装置１０１は、画像が二次転写部２１に搬送されるタイミングから逆算して得られるタイミングで第１給紙装置２０１に給紙要求を送信することになる。２ページ目の給紙開始のタイミングは、搬送パス３９で一時停止しているシートが画像形成装置１０１へ受け渡されるタイミングである。画像形成装置１０１は、１ページ目の受渡要求の送信と同時或いはそれ以前に２ページ目のシートの給紙要求を送信することになる。画像形成装置１０１は、３ページ目以降のシートの給紙要求についても、直前のシートの受渡要求の送信と同時或いはそれ以前に第１給紙装置２０１へ送信する。第１給紙装置２０１は、給紙要求及び受渡要求の受信をトリガとして、２ページ目以降の給紙を開始する。このように給紙要求が送信されることで、２枚以上のシートが同じタイミングで搬送パス３９を搬送されることが防止される。なお、受渡要求は、画像が二次転写部２１へ搬送されるタイミングから、供給されたシートが画像形成装置１０１内を二次転写部２１まで搬送される時間を差し引いたタイミングで、第１給紙装置２０１へ送信される。
【手続補正書】
【提出日】令和2年3月12日(2020.3.12)
【手続補正１】
【補正対象書類名】明細書
【補正対象項目名】００５０
【補正方法】変更
【補正の内容】
【００５０】
変更部２７６は、入力処理部２３５から受け取った操作信号が、第１期間の変更に関する変更情報である場合、その変更情報に応じて第１期間情報を更新して第１期間を変更する。例えば、操作信号が、第１期間を１秒だけ長くする旨の変更情報である場合、変更部２７６は、第１期間情報が示す第１期間を１秒だけ長くなるように、第１期間情報を変更する。このため、利用者は、操作パネル２３１またはリモコン５を操作することで、第１期間を調整することができる。なお、変更情報は、第１期間を１秒だけ長くする旨の情報に限らず適宜変更可能である。
【手続補正２】
【補正対象書類名】明細書
【補正対象項目名】００５６
【補正方法】変更
【補正の内容】
【００５６】
表示制御部２７１は、出力停止指示を受け取ると、描画データの画像合成部２５９への出力を停止する。このため、画像合成部２５９は、画像表示領域３０１に第１画像３０３を示し操作検出領域３０２に操作検出マーカー３０５およびアイコン３０７のいずれも示さない投射画像３００に応じた画像データを生成する。このため、投射部２１０は、第１画像３０３を有すが操作検出マーカー３０５およびアイコン３０７のいずれも有さない投射画像３００（図３参照）をスクリーンＳＣに投射する（ステップＳ４）。
【手続補正３】
【補正対象書類名】明細書
【補正対象項目名】００６０
【補正方法】変更
【補正の内容】
【００６０】
図５は、タイマー処理を説明するためのフローチャートである。図５に示すタイマー処理は、図４に示す動作と並列的に実行される。
処理実行制御部２７３は、タイマー２７５の計時時間が第１期間を経過するまで待つ（ステップＳ１１：ＮＯ）。タイマー２７５の計時時間が第１期間を経過すると（ステップＳ１１：ＹＥＳ）、処理実行制御部２７３は、タイマー２７５を停止し、その後、タイマー２７５をリセットする（ステップＳ１２）。
【手続補正４】
【補正対象書類名】明細書
【補正対象項目名】００６１
【補正方法】変更
【補正の内容】
【００６１】
続いて、処理実行制御部２７３は、操作検出マーカー３０５に対応づけられた処理の実行停止を解除し、さらに、表示制御部２７１に対して、描画データの画像合成部２５９への出力を開始する出力開始指示を出力する。表示制御部２７１は、出力開始指示を受け取ると、描画データの画像合成部２５９への出力を開始する。このため、画像合成部２５９は、重畳画像データを光変調部駆動部２２２および制御部２７０に出力し、光変調部駆動部２２２は、重畳画像データに応じたデータ信号を投射部２１０に出力する。よって、投射部２１０は、データ信号に応じた投射画像３００（第１画像３０３と操作検出マーカー３０５とアイコン３０７とを含む画像）をスクリーンＳＣに投射する（ステップＳ１３）。
このため、例えば、投射画像３００が図２に示した形態になってから第１期間が経過すると、投射画像３００は、図６に示した形態に変化する。
【手続補正５】
【補正対象書類名】明細書
【補正対象項目名】００６７
【補正方法】変更
【補正の内容】
【００６７】
＜変形例２＞
本実施形態では、変化検出部２７４が、第１画像３０３の変化を検出すると、処理実行制御部２７３は、操作検出マーカー３０５に応じた処理の実行停止を開始するようにしたが、処理実行制御部２７３が操作検出マーカー３０５に応じた処理の実行を停止する代わりに、撮像部２４０が、第１画像３０３に変化があってから第１期間の間は、撮像画像を生成しないようにしてもよい。例えば、処理実行制御部２７３は、変化検出部２７４が第１画像３０３の変化を検出すると撮像部２４０の動作を停止し、タイマー２７５が第１期間を計時したら、撮像部２４０の動作を再開させる。
変形例２によれば、第１画像３０３に変化があってから第１期間の間は、撮像画像が生成されず、よって、操作検出マーカー３０５に対する操作は検出されない。このため、第１画像３０３に変化があってから第１期間の間は、利用者の意図に反して操作検出マーカー３０５に対応する処理が実行されることを抑制可能になる。
【手続補正６】
【補正対象書類名】明細書
【補正対象項目名】００６８
【補正方法】変更
【補正の内容】
【００６８】
＜変形例３＞
本実施形態では、変化検出部２７４が、第１画像３０３の変化を検出すると、処理実行制御部２７３は、操作検出マーカー３０５に応じた処理の実行停止を開始するようにしたが、処理実行制御部２７３が操作検出マーカー３０５に応じた処理の実行を停止する代わりに、操作検出部２７２が、第１画像３０３に変化があってから第１期間の間は、選択操作を検出しないようにしてもよい。例えば、処理実行制御部２７３は、変化検出部２７４が第１画像３０３の変化を検出すると操作検出部２７２の動作を停止し、タイマー２７５が第１期間を計時したら、操作検出部２７２の動作を再開させる。
変形例３によれば、第１画像３０３に変化があってから第１期間の間は、選択操作は検出されず、よって、利用者の意図に反して操作検出マーカー３０５に対応する処理が実行されることを抑制可能になる。
【誤訳訂正書】
【提出日】令和2年1月6日(2020.1.6)
【誤訳訂正１】
【訂正対象書類名】明細書
【訂正対象項目名】００５５
【訂正方法】変更
【訂正の内容】
【００５５】
プリズム６０７の第２角度は、所定値未満である。これは光線６０６と面６０３との衝突を回避し、光線や空間構造の損失を防ぐ。光線は、プリズム構造との間で複数の相互作用を受けることができ、各相互作用は結果として、追加ターンをもたらすので、第２角度６０７はそれぞれのプリズムにおいて反射光線とプリズム面６０３との衝突を防ぐように選択される。臨界角は、それ以上の角度で内部全反射が発生する入射角として定義される。一実施形態では、プリズム６０７の第２角度が、９０度と臨界角との差よりも小さい角度である。更なる一実施形態では、プリズム６０７の第２角度は、９０度と、光線６０５が反射する数とプリズム角度６０８の２倍との積と、臨界角とを合計した角度との差よりも小さい。
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
液状の樹脂と、粒子とを含む樹脂材料が収容されたシリンジを準備する工程と、
前記シリンジを、湿度２０％以下、温度０℃以上５℃以下の雰囲気下に配置する工程と、
前記シリンジの下方に、発光素子が載置された基板を配置する工程と、
前記シリンジの下端のノズルの吐出口から前記液状の樹脂材料を吐出して前記発光素子を被覆する工程と、を備える発光装置の製造方法。
【請求項２】
前記ノズルの吐出口を２０℃以上に加熱する請求項１に記載の発光装置の製造方法。
【請求項３】
前記粒子は、蛍光体粒子を含む請求項１又は請求項２記載の発光装置の製造方法。
【請求項４】
前記粒子は、拡散材を含む請求項１〜請求項３のいずれか１項に記載の発光装置の製造方法。
【請求項５】
前記シリンジの周囲に保冷部を備える、請求項１〜請求項４のいずれか１項に記載の発光装置の製造方法。
【請求項６】
前記保冷部は、冷媒として液体又は気体を循環させる冷却パイプを備える、請求項５に記載の発光装置の製造方法。
【請求項７】
前記冷媒は、水、液体窒素、不凍液から選択される、請求項６に記載の発光装置の製造方法。
【請求項８】
前記冷媒は、フロンガス、空気から選択される、請求項６に記載の発光装置の製造方法。
【請求項９】
前記ノズルは、前記保冷部から離間して配置される、請求項５〜請求項８のいずれか１項に記載の発光装置の製造方法。
【請求項１０】
前記ノズルは、ヒータを備え、前記ヒータにより前記ノズルの温度を２０℃〜４０℃になるように温度制御されている、請求項１〜請求項９のいずれか１項に記載の発光装置の製造方法。
【請求項１１】
前記ヒータは、前記ノズルの側面を巻装した電線を備える、請求項１０に記載の発光装置の製造方法。
【手続補正書】
【提出日】令和2年3月17日(2020.3.17)
【手続補正１】
【補正対象書類名】明細書
【補正対象項目名】０００８
【補正方法】変更
【補正の内容】
【０００８】
【特許文献１】特開２０１１−８９９４６号公報
【手続補正２】
【補正対象書類名】明細書
【補正対象項目名】００２２
【補正方法】変更
【補正の内容】
【００２２】
【図１】酸化チタンナノシートの模式図である。
【図２】磁場配向している酸化ニオブナノシート及び酸化グラフェンナノシートの概略図である。
【図３】磁場配向している酸化チタンナノシートの概略図である。
【図４Ａ】ナノシート分散液の写真である。
【図４Ｂ】塩化ナトリウム存在下でのナノシート分散液の写真である。
【図５Ａ】コーティング剤なしのナノシートの動的光散乱（ＤＬＳ）法による大きさ分布を表すグラフである。
【図５Ｂ】ナノシートの動的光散乱（ＤＬＳ）法による大きさ分布を表すグラフである。
【図６Ａ】コーティング剤なしのナノシートの透過型電子顕微鏡（ＴＥＭ）画像である。
【図６Ｂ】コーティング剤でコートされたナノシートの透過型電子顕微鏡（ＴＥＭ）画像である。
【図７】ナノシートの原子間力顕微鏡（ＡＦＭ）画像である。
【図８】ナノシートの製造時に用いたタンパク質の量とナノシートに吸着したタンパク質の量との相関を表すグラフである。
【図９】ＣＢＢ染色によるタンパク質コート前後のナノシートの吸収スペクトルである。
【図１０】タンパク質吸着量の経時変化を表すグラフである。
【図１１】蛍光ラベルしたモデル化合物とナノシート混合液の共焦点レーザー顕微鏡画像である。
【図１２】ナノシートのＸ線小角散乱（ＳＡＸ）解析の概略図及びナノシートのＸ線小角散乱（ＳＡＸ）解析画像である。
【図１３】コーティング剤なしのナノシート分散液中におけるＤ２Ｏ四極子相互作用の分裂ピークである。
【図１４】コーティング剤でコートされたナノシート分散液中におけるＤ２Ｏ四極子相互作用の分裂ピークである。
【図１５】１３Ｃラベルしたグルコースの１３Ｃ−ＮＭＲ測定結果である。
【図１６】ＴｉＮＳＣａｓ及びＮｂＮＳＣａｓのＩＰＡＰ−ＨＳＱＣスペクトルである。
【図１７】ＴｉＮＳＣａｓ及びＮｂＮＳＣａｓのＩＰＡＰ−ＨＳＱＣスペクトル解析から算出したＲＤＣの結果をまとめた図である。
【図１８】ＴｉＮＳＣａｓのＩＰＡＰ−ＨＳＱＣスペクトル解析から算出したＲＤＣと既報の構造から計算されたＲＤＣとの相関を表すグラフである。
【図１９】ＴｉＮＳＣａｓ及びＴｉＮＳの遠心分離後の上澄み液のＳＤＳ−ＰＡＧＥの結果を示す図である。
【手続補正３】
【補正対象書類名】明細書
【補正対象項目名】００２９
【補正方法】変更
【補正の内容】
【００２９】
図３は磁場配向している酸化チタンナノシートの概略図である。左図は側面図、右図は上面図を示す。記号Ｂは磁場を表し、記号Ｂ横の矢印及び中黒丸印は磁場の方向を示している。酸化チタンナノシートは外部磁場の方向がシートの法線方向に一致するように配向する。また、静電的な斥力が大きく働くため、全てのナノシートの面が同一方向を向き、互いに向かい合わせとなるように配向する性質を持つ。このため強力な配向力を有する。
【手続補正４】
【補正対象書類名】明細書
【補正対象項目名】００３０
【補正方法】変更
【補正の内容】
【００３０】
酸化ニオブナノシート
図２は磁場配向している酸化ニオブシートの概略図である。左図は側面図、右図は上面図を示す。記号Ｂは磁場を表し、記号Ｂの脇にある矢印及び中黒丸印は磁場の方向を示している。酸化ニオブナノシートは外部磁場の方向がシートの接線方向に一致するように配向するため、シートの接線方向となるナノシートの配向軸を中心に回転自在となっている。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
予め形成された固体電解質界面（ＳＥＩ）を有する保護されたアノードを有するリチウムイオン電池の製造方法であって、
ＳＥＩ形成電解質を有する第１のセル内でリチウム電極に対して複数の充放電サイクルを実施することによって前記リチウム電極上にＳＥＩを形成して、保護されたアノードを形成することを備え、前記ＳＥＩ形成電解質は、
リチウムビス（フルオロスルホニル）イミド（ＬｉＦＳＩ）と、
イオン液体とを含み、前記イオン液体は、
１−メチル−１−プロピルピロリジニウム、Ｎ−メチル−Ｎ，Ｎ−ジエチル−Ｎ−プロピルアンモニウム、Ｎ，Ｎ−ジエチル−Ｎ−メチル−Ｎ−（２−メトキシエチル）−アンモニウム、１，１−メチルプロピルピペリジニウム、Ｎ−メチル−Ｎ−（２−メトキシエチル）−ピロリジニウム、トリメチルイソプロピルホスホニウム、メチルトリエチルホスホニウム、メチルトリブチルホスホニウム、およびそれらの混合物からなる群から選択される有機カチオンと、
（フルオロスルホニル）イミドアニオン（ＦＳＩ）とを含み、前記方法はさらに、
湿式Ｌｉイオンボルタ電池を組み立てることを備え、前記湿式Ｌｉイオンボルタ電池は、
前記保護されたアノードと、
前記保護されたアノードと接触する湿式電解質とを含み、前記湿式電解質は、少なくとも５０ｐｐｍの水分を含む、リチウムイオン電池の製造方法。
【請求項２】
ＬｉＦＳＩは、前記イオン液体に対して、少なくとも１：１のモル比で存在する、請求項１に記載の方法。
【請求項３】
ＬｉＦＳＩは前記イオン液体中においてその飽和点で存在する、請求項１に記載の方法。
【請求項４】
前記湿式Ｌｉイオンボルタ電池を組み立てる前に、前記ＳＥＩ形成電解質が可溶性である溶媒で前記保護されたアノードを洗浄することをさらに備える、請求項１に記載の方法。
【請求項５】
前記ＳＥＩ形成電解質は５０ｐｐｍ未満の含水量を有する、請求項１に記載の方法。
【請求項６】
前記湿式電解質は、少なくとも１００ｐｐｍの濃度で存在する水分を含む、請求項１に記載の方法。
【請求項７】
前記湿式電解質は、少なくとも５００ｐｐｍの濃度で存在する水分を含む、請求項１に記載の方法。
【請求項８】
前記湿式電解質は、少なくとも１０００ｐｐｍの濃度で存在する水分を含む、請求項１に記載の方法。
【請求項９】
前記湿式電解質は、少なくとも４０００ｐｐｍの濃度で存在する水分を含む、請求項１に記載の方法。
【請求項１０】
前記湿式電解質は、少なくとも１６０００ｐｐｍの濃度で存在する水分を含む、請求項１に記載の方法。
【請求項１１】
前記カチオンはＰｙｒ１３を含む、請求項１に記載の方法。
【請求項１２】
前記カチオンはＮ１２２３を含む、請求項１に記載の方法。
【請求項１３】
前記カチオンはＤＥＭＥを含む、請求項１に記載の方法。
【請求項１４】
前記カチオンはＰｉｐ１３を含む、請求項１に記載の方法。
【請求項１５】
前記カチオンはＰ１１１ｉ４を含む、請求項１に記載の方法。
【請求項１６】
前記カチオンはＰｙｒ１２Ｏ１を含む、請求項１に記載の方法。
【請求項１７】
前記カチオンはＰ１２２２を含む、請求項１に記載の方法。
【請求項１８】
前記カチオンはＰ１４４４を含む、請求項１に記載の方法。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
可視光の波長帯の半分以下の幅の波長帯で物体を撮像して時系列画像を取得する撮像手段と、
前記撮像手段によって得られた時系列画像から前記可視光の波長帯の半分以下の幅の波長帯で区別できる物体表面の特徴を抽出する抽出手段と、
前記抽出手段によって抽出された特徴の時間的な変化を追跡する追跡手段と、
前記追跡手段によって追跡された特徴の時間的な変化に基づいて前記物体の状態を評価する評価手段と、
を備えることを特徴とする画像処理装置。
【請求項２】
前記撮像手段は、一部または全部が前記可視光の波長帯の半分以下の幅の波長帯のフィルタで構成されたセンサを用いて前記物体を撮像することを特徴とする請求項１に記載の画像処理装置。
【請求項３】
前記撮像手段は、可視光の波長帯の半分以下の幅の複数種類の波長帯のフィルタで構成されたセンサを用いて前記物体を撮像することを特徴とする請求項１に記載の画像処理装置。
【請求項４】
前記物体とは人間の顔であることを特徴とする請求項１〜３の何れか１項に記載の画像処理装置。
【請求項５】
前記物体表面の特徴とは、人間の顔の中の構造に基づく局所的なパターンであることを特徴とする請求項４に記載の画像処理装置。
【請求項６】
前記局所的なパターンとは、ほくろ、しみ、毛穴、しわ、にきび、髭、血管、産毛、および傷跡の中のいずれかであることを特徴とする請求項５に記載の画像処理装置。
【請求項７】
前記可視光の波長帯の半分以下の幅の波長帯は、メラニンまたはヘモグロビンを区別できる波長帯であることを特徴とする請求項５に記載の画像処理装置。
【請求項８】
前記物体の状態とは、笑顔度、緊張度、疲労度、本音度、ストレス度、警戒度、および活性度の中の少なくとも１つであることを特徴とする請求項４〜７の何れか１項に記載の画像処理装置。
【請求項９】
前記評価手段は、前記特徴の時間的な変化から筋肉の痙攣および／または線維束性収縮を評価することによって前記物体の状態を評価することを特徴とする請求項４〜８の何れか１項に記載の画像処理装置。
【請求項１０】
前記評価手段は、前記物体表面の特徴の変位を周波数空間に変換することによって前記痙攣を評価することを特徴とする請求項９に記載の画像処理装置。
【請求項１１】
前記評価手段は、所定の時間における前記物体表面の特徴の変位に基づいて前記線維束性収縮を評価することを特徴とする請求項９に記載の画像処理装置。
【請求項１２】
可視光の波長帯の半分以下の幅の波長帯で物体を撮像して時系列画像を取得する撮像手段を有する画像処理装置の画像処理方法であって、
前記撮像手段によって得られた時系列画像から前記可視光の波長帯の半分以下の幅の波長帯で区別できる物体表面の特徴を抽出する抽出工程と、
前記抽出工程において抽出された特徴の時間的な変化を追跡する追跡工程と、
前記追跡工程において追跡された特徴の時間的な変化に基づいて前記物体の状態を評価する評価工程と、
を備えることを特徴とする画像処理方法。
【請求項１３】
可視光の波長帯の半分以下の幅の波長帯で物体を撮像して時系列画像を取得する撮像手段を有する画像処理装置を制御するためのプログラムであって、
前記撮像手段によって得られた時系列画像から前記可視光の波長帯の半分以下の幅の波長帯で区別できる物体表面の特徴を抽出する抽出工程と、
前記抽出工程において抽出された特徴の時間的な変化を追跡する追跡工程と、
前記追跡工程において追跡された特徴の時間的な変化に基づいて前記物体の状態を評価する評価工程と、
をコンピュータに実行させることを特徴とするプログラム。
【請求項１４】
請求項１３に記載のプログラムを記憶したことを特徴とするコンピュータが読み取り可能な記憶媒体。
【手続補正２】
【補正対象書類名】明細書
【補正対象項目名】０００８
【補正方法】変更
【補正の内容】
【０００８】
本発明に係る画像処理装置は、可視光の波長帯の半分以下の幅の波長帯で物体を撮像して時系列画像を取得する撮像手段と、前記撮像手段によって得られた時系列画像から前記可視光の波長帯の半分以下の幅の波長帯で区別できる物体表面の特徴を抽出する抽出手段と、前記抽出手段によって抽出された特徴の時間的な変化を追跡する追跡手段と、前記追跡手段によって追跡された特徴の時間的な変化に基づいて前記物体の状態を評価する評価手段と、を備えることを特徴とする。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
ヘッドマウントデバイスと通信可能なコンピュータによって実行されるプログラムであって、
前記プログラムは前記コンピュータに、
仮想空間を定義するステップと、
前記ヘッドマウントデバイスの出力に基づいて前記仮想空間における前記ヘッドマウントデバイスのユーザの視点位置を取得するステップと、
前記ユーザの操作または動作を表す信号を受け付けるステップと、
前記信号が表す前記ユーザの操作または動作が前記ユーザの第１条件を満たした場合に、前記視点位置に対応する情報を配信するステップと、
を実行させる、プログラム。
【請求項２】
前記視点位置に対応する情報は、前記視点位置に対応するコンテンツに基づく、広告またはパノラマ画像である、
請求項１に記載のプログラム
【請求項３】
前記配信するステップは、第２条件を満たす場合は、前記視点位置に対応する情報を配信しないよう制御する、請求項１または２に記載のプログラム
【請求項４】
前記仮想空間における、前記ユーザとは異なる他のユーザと、前記他のユーザの仮想カメラの位置を取得するステップと、をさらに備え、
前記第２条件とは、前記ユーザの前記仮想空間上における仮想カメラの位置と、前記他のユーザの前記仮想空間上における前記仮想カメラの位置との間の距離が閾値以下の場合である、請求項３に記載のプログラム。
【請求項５】
前記ユーザと、他のユーザとの会話に対応する音声信号を受信するステップとをさらに備え、
前記所定の場合とは、前記ユーザと、前記他のユーザとの会話に対応する前記音声信号レベルがあらかじめ定められたレベル以上である場合である、
請求項３に記載のプログラム。
【請求項６】
請求項１〜５いずれか１項に記載のプログラムを格納したメモリと、前記プログラムを実行するためのプロセッサとを備える、情報処理装置。
【請求項７】
ヘッドマウントデバイスのコンピュータに、
仮想空間を定義するステップと、
前記ヘッドマウントデバイスの出力に基づいて前記仮想空間における前記ヘッドマウントデバイスのユーザの視点位置を取得するステップと、
前記ユーザの操作または動作を表す信号を受け付けるステップと、
前記信号が表す前記ユーザの操作または動作が前記ユーザの第１条件を満たした場合に、前記視点位置に対応する情報を配信するステップと、
を実行させる、プログラム。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
仮想空間を介して通信するためにコンピュータで実行される方法であって、
仮想空間を定義するステップと、
前記仮想空間を介して通信するユーザに対応するアバターオブジェクトを前記仮想空間 に配置するステップと、
前記ユーザの身体の第１の部位と、前記ユーザの前記第１の部位とは異なる第２の部位との位置関係を示す情報を受信するステップと、
前記アバターオブジェクトは、前記ユーザの前記第１の部位に対応する第１領域と、前記第２の部位に対応する第２領域とを含み、前記位置関係を示す情報に基づいて、前記アバターオブジェクトの前記第２領域は回転させず、前記第１領域を回転させるステップと、
を備える、方法。
【請求項２】
前記第２の部位は、前記ユーザの肩を含む、請求項１に記載の方法。
【請求項３】
前記位置関係を示す情報は、前記ユーザの身体の第１の部位に装着されたデバイスと前記ユーザの第２の部位との距離を示す距離情報を含む、請求項１または２に記載の方法。
【請求項４】
前記距離情報は、前記第１の部位に含まれる前記ユーザの顔および前記第２の部位を撮影するために前記デバイスに設けられたカメラと、前記第２の部位との距離を示す、請求項３に記載の方法。
【請求項５】
前記デバイスの動きを表す動き情報を受信するステップをさらに備え、
前記第１領域を回転させるステップは、前記距離情報と前記動き情報とに基づいて前記第１領域を回転させることを含む、請求項３または４のいずれか１項に記載の方法。
【請求項６】
前記ユーザの前記第１の部位と前記第２の部位とが同じ方向を向いている状態における前記デバイスと前記第２の部位との距離である基準距離を示す情報を受信するステップをさらに備え、
前記第２領域は回転させず、前記第１領域を回転させるステップは、前記距離情報が示す距離と前記基準距離との差分に基づいて、前記アバターオブジェクトの前記第２領域は回転させずに前記第１領域を回転させることを含む、請求項３〜５のいずれか１項に記載の方法。
【請求項７】
前記デバイスの動きを表す動き情報を受信するステップと、
前記デバイスが前記ユーザの身体の軸を基準として回転していることを前記動き情報が表し、かつ、前記距離情報が示す距離の時間に対する変化がない場合に、前記アバターオブジェクトの前記第１領域と前記第２領域とを連動させて前記第１領域を回転させるステップとをさらに備える、請求項３〜６のいずれか１項に記載の方法。 
【請求項８】
前記位置関係を示す情報は、前記身体の軸を基準とする前記デバイスと 前記身体の一部とが成す角度を含む、請求項１または２に記載の方法。
【請求項９】
前記位置関係を示す情報は、前記デバイスに設けられたカメラにより生成された、前記第２の部位を含む画像であって、
前記画像から前記第２の部位を特定するステップをさらに備え、   
前記第１の部位を回転させるステップは、前記画像における前記第２の部位の写り方に基づいて、前記アバターオブジェクトの前記第２領域は回転させず、前記第１領域を回転させることを含む、請求項１または２に記載の方法。
【請求項１０】
デバイスに仮想空間を提供するためにコンピュータで実行される方法であって、
仮想空間を定義するステップと、
前記デバイスのユーザに対応するアバターオブジェクトを前記仮想空間に配置するステップと、
前記ユーザの身体の第１の部位に装着するデバイスと、前記ユーザの前記第１の部位とは異なる第２の部位との位置関係を示す情報を取得するステップと、
前記アバターオブジェクトは、前記ユーザの前記第１の部位に対応する第１領域と、前記第２の部位に対応する第２領域とを含み、前記位置関係を示す情報に基づいて、前記アバターオブジェクトの前記第２領域は回転させず、前記第１領域を回転させるステップと、
を備える、方法。
【請求項１１】
請求項１〜１０のいずれか１項に記載の方法をコンピュータに実現させるためのプログ ラム。
【請求項１２】
請求項１１に記載のプログラムを格納したメモリと、
前記プログラムを実行するためのプロセッサと、を備える、情報処理装置。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
半導体を有するトランジスタが複数配置された第１領域と前記第１領域の周辺に位置する周辺領域とを有する第１基板と、
前記周辺領域にあり、集積回路が接続される接続端子と、
前記第１基板に接する第１絶縁膜と、
前記第１絶縁膜に接する第２絶縁膜と、
複数の金属配線層と、
を備え、
前記複数の金属配線層は、前記第１絶縁膜と前記第２絶縁膜との間に位置する第１金属配線層と、前記第２絶縁膜上に位置する第２金属配線層と、を含み、
前記第１領域において、前記第１金属配線層と前記第１基板との間には、前記第１絶縁膜があり、
前記周辺領域において、前記接続端子と前記第１基板との間には、前記第１絶縁膜がない、アクティブマトリクス基板。
【請求項２】
前記接続端子は、前記第２金属配線層の第１部分で構成される、請求項１に記載のアクティブマトリクス基板。
【請求項３】
前記複数の金属配線層は、第３金属配線層をさらに含み、
表示領域において、前記半導体は、前記第１金属配線層の第２部分と前記第３金属配線層の第２部分との間にあり、
前記接続端子は、前記第１金属配線層の第１部分及び前記第３金属配線層の第１部分で構成される、請求項２に記載のアクティブマトリクス基板。
【請求項４】
前記半導体は、酸化物半導体であり、
前記第１金属配線層の第２部分及び前記第３金属配線層の第２部分には、ゲート電圧が印加される、請求項３に記載のアクティブマトリクス基板。
【請求項５】
前記接続端子は、複数の端子電極で構成され、
平面視において、隣り合う前記端子電極の間には、前記第１絶縁膜がある、請求項１乃至４のいずれか一項に記載のアクティブマトリクス基板。
【請求項６】
半導体を有するトランジスタが複数配置された第１領域と前記第１領域の周辺に位置する周辺領域とを有する第１基板と、
前記周辺領域にあり、集積回路が接続される接続端子と、
前記第１領域及び前記周辺領域において前記第１基板に接する第１絶縁膜と、
複数の金属配線層と、
を備え、
前記複数の金属配線層は、前記第１基板に最も近い第１金属配線層と、前記第１金属配線層よりも前記第１基板から遠い第２金属配線層とを含み、
前記第１絶縁膜は、前記第１金属配線層と前記第１基板との間にあり、
前記接続端子は、前記第２金属配線層の第１部分で構成され、
前記周辺領域において、前記接続端子と前記第１絶縁膜との間に、有機絶縁膜がある、アクティブマトリクス基板。
【請求項７】
前記第２金属配線層の第１部分と前記有機絶縁膜との間に、無機絶縁膜がある、請求項６に記載のアクティブマトリクス基板。
【請求項８】
前記第１絶縁膜と前記有機絶縁膜との間に、無機絶縁膜がある、請求項６に記載のアクティブマトリクス基板。
【請求項９】
前記複数の金属配線層は、第３金属配線層をさらに含み、
前記表示領域において、前記半導体は、前記第１金属配線層の第２部分と前記第３金属配線層の第２部分との間にあり、
前記接続端子は、前記第１金属配線層の第１部分及び前記第３金属配線層の第１部分で構成される、請求項６乃至８のいずれか一項に記載のアクティブマトリクス基板。
【請求項１０】
前記半導体は、酸化物半導体であり、
前記第１金属配線層の第２部分及び前記第３金属配線層の第２部分には、ゲート電圧が印加される、請求項９に記載のアクティブマトリクス基板。
【請求項１１】
前記有機絶縁膜は、色材を含む、請求項６乃至１０のいずれか一項に記載のアクティブマトリクス基板。
【請求項１２】
前記第１基板は、透明なポリイミド基板である、請求項１乃至１１のいずれか一項に記載のアクティブマトリクス基板。
【請求項１３】
前記第１絶縁膜の厚みが１００ｎｍ以上である、請求項１乃至１２のいずれか一項に記載のアクティブマトリクス基板。
【手続補正２】
【補正対象書類名】明細書
【補正対象項目名】００７８
【補正方法】変更
【補正の内容】
【００７８】
このとき、第１補助電極４５は、金属膜３１と同様に、図１０に示した第１ゲート電極
４３ａと同一の膜を加工して得た要素である。すなわち、第１補助電極４５及び第１ゲート電極４３ａは、互いに同一の層構造及び同一の材料で構成される第１金属配線層である。本明細書では、第１補助電極４５を第１金属配線層の第１部分と呼び、第１ゲート電極４３ａを第１金属配線層の第２部分と呼んで区別する場合がある。
【手続補正３】
【補正対象書類名】明細書
【補正対象項目名】００７９
【補正方法】変更
【補正の内容】
【００７９】
また、第２補助電極４８は、図１０に示した第２ゲート電極４３ｅと同一の膜を加工して得た要素である。すなわち、第２補助電極４８及び第２ゲート電極４３ｅは、互いに同一の層構造及び同一の材料で構成される第３金属配線層である。本明細書では、第２補助電極４８を第３金属配線層の第１部分と呼び、第２ゲート電極４３ｅを第３金属配線層の第２部分と呼んで区別する場合がある。
【手続補正４】
【補正対象書類名】図面
【補正対象項目名】図５
【補正方法】変更
【補正の内容】
【図５】
2018200377.tif 000001
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
光学ズームを制御するモードから電子ズームを制御するモードへと切り替える第１の切替操作に基づいて、撮像デバイスのズーム機能を制御する撮像制御部を備え、
前記撮像制御部は、前記第１の切替操作が検出されたときに対応する前記撮像デバイスの光学系の光学倍率で、前記撮像デバイスで撮像される医療用撮像画像における所定の領域に対して電子ズームが行われるように、前記ズーム機能を制御する、医療用観察装置。
【請求項２】
前記所定の領域は、前記医療用撮像画像に対して予め設定されている領域である、請求項１に記載の医療用観察装置。
【請求項３】
前記予め設定されている領域は、前記医療用撮像画像の中心位置を中心とする領域である、請求項２に記載の医療用観察装置。
【請求項４】
前記医療用撮像画像は、表示画面に表示され、
前記撮像制御部は、前記第１の切替操作が検出されたときにおける、前記表示画面上における視線検出センサの検出対象の視線の位置に基づいて、前記所定の領域を設定する、請求項１に記載の医療用観察装置。
【請求項５】
前記撮像制御部は、
前記第１の切替操作が検出されたときにおける前記医療用撮像画像から処置具を検出し、
前記医療用撮像画像における前記処置具に対応する位置に基づいて、前記所定の領域を設定する、請求項１に記載の医療用観察装置。
【請求項６】
前記撮像制御部は、
前記医療用撮像画像における前記処置具の位置に対する相対的な患部の位置を推定し、
推定された前記患部の位置を、前記処置具に対応する位置とする、請求項５に記載の医療用観察装置。
【請求項７】
前記処置具は一対の開創器であり、
前記撮像制御部は、前記一対の開創器の間の中間位置を、前記患部の位置として推定する、請求項６に記載の医療用観察装置。
【請求項８】
前記処置具はエネルギー処置具であり、
前記撮像制御部は、前記エネルギー処置具の先端位置を、前記患部の位置として推定する、請求項６に記載の医療用観察装置。
【請求項９】
前記処置具は鉗子であり、
前記撮像制御部は、前記鉗子の先端位置を、前記患部の位置として推定する、請求項６に記載の医療用観察装置。
【請求項１０】
前記第１の切替操作は、前記医療用観察装置が備える操作デバイスに対して行われる操作であり、
前記撮像制御部は、前記第１の切替操作に応じて前記操作デバイスから出力される操作信号に基づいて、前記ズーム機能を制御する、請求項１〜９のいずれか１つに記載の医療用観察装置。
【請求項１１】
前記第１の切替操作は、前記医療用観察装置の外部の操作デバイスに対して行われる操作であり、
前記撮像制御部は、前記第１の切替操作に応じて前記外部の操作デバイスから出力される操作信号に基づいて、前記ズーム機能を制御する、請求項１〜１０のいずれか１つに記載の医療用観察装置。
【請求項１２】
前記第１の切替操作は、音声入力デバイスに対して行われる音声操作であり、
前記撮像制御部は、前記音声入力デバイスから出力される音声信号に対して音声認識処理を実行し、前記第１の切替操作の認識結果に基づいて前記ズーム機能を制御する、請求項１〜１１のいずれか１つに記載の医療用観察装置。
【請求項１３】
前記撮像制御部は、電子ズームを制御するモードから光学ズームを制御するモードへと切り替える第２の切替操作に基づいて、電子ズームを解除する、請求項１〜１２のいずれか１つに記載の医療用観察装置。
【請求項１４】
前記第２の切替操作は、前記医療用観察装置が備える操作デバイスに対して行われる操作であり、
前記撮像制御部は、前記第２の切替操作に応じて前記操作デバイスから出力される操作信号に基づいて、電子ズームを解除する、請求項１３に記載の医療用観察装置。
【請求項１５】
前記第２の切替操作は、前記医療用観察装置の外部の操作デバイスに対して行われる操作であり、
前記撮像制御部は、前記第２の切替操作に応じて前記外部の操作デバイスから出力される操作信号に基づいて、電子ズームを解除する、請求項１３または１４に記載の医療用観察装置。
【請求項１６】
前記第２の切替操作は、音声入力デバイスに対して行われる音声操作であり、
前記撮像制御部は、前記音声入力デバイスから出力される音声信号に対して音声認識処理を実行し、前記第２の切替操作の認識結果に基づいて電子ズームを解除する、請求項１３〜１５のいずれか１つに記載の医療用観察装置。
【請求項１７】
複数のリンクが関節部によって互いに連結されて構成されるアームと、
前記アームにより支持されている前記撮像デバイスと、
を備える、請求項１〜１６のいずれか１つに記載の医療用観察装置。
【請求項１８】
光学ズームを制御するモードから電子ズームを制御するモードへと切り替える第１の切替操作に基づいて、撮像デバイスのズーム機能を制御するステップを有し、
前記制御するステップでは、前記第１の切替操作が検出されたときに対応する前記撮像デバイスの光学系の光学倍率で、前記撮像デバイスで撮像される医療用撮像画像における所定の領域に対して電子ズームが行われるように、前記ズーム機能が制御される、医療用観察装置により実行されるズーム制御方法。
【手続補正２】
【補正対象書類名】明細書
【補正対象項目名】０２０７
【補正方法】変更
【補正の内容】
【０２０７】
ステップＳ１００において光学ズーム操作が検出されたと判定されない場合、または、ステップＳ１０２の処理が行われた場合、医療用観察装置１００は、電子ズームを制御するモードへの切替操作が検出されたか否かを判定する（Ｓ１０４）。医療用観察装置１００は、例えば、電子ズーム切替スイッチ１２８から出力される操作信号、または、フットスイッチＦＳなどの外部の操作デバイスから出力される操作信号から、電子ズームを制御するモードへの切替操作に対応する信号パターンが検出された場合に、電子ズームを制御するモードへの切替操作が検出されたと判定する。また、医療用観察装置１００は、例えば、音声入力デバイスから出力される音声信号から、電子ズームを制御するモードへの切替操作に対応する命令が認識された場合に、電子ズームを制御するモードへの切替操作が検出されたと判定してもよい。
【手続補正書】
【提出日】令和2年5月19日(2020.5.19)
【手続補正１】
【補正対象書類名】特許請求の範囲
【補正対象項目名】請求項５
【補正方法】変更
【補正の内容】
【請求項５】
該トナー粒子が、さらに、スチレンアクリル系ポリマーがポリオレフィンにグラフト重合している重合体を含有し、
該スチレンアクリル系ポリマーが、下記式（１）で示されるユニットを有する請求項１〜４のいずれか１項に記載のトナー。
【化１】
2018200356.tif 000001
（式（１）中、Ｒ１は、水素原子、または、メチル基を示す。Ｒ２は、飽和脂環式基を示す。）
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
第１フレームと第２フレームとを含む複数のフレームが順に入力され、各フレームに基づく画像を表示する表示装置であって、
個別に発光を制御可能な複数の発光領域を備えるバックライトと、
複数の液晶素子を備え、前記バックライトからの光を透過して画像を表示する液晶パネルと、
複数の動作モードのうち、いずれかの動作モードを設定する画質設定手段と、
各フレームに基づいて各発光領域の発光輝度を制御する発光制御手段と、
各発光領域の発光輝度に基づいて補正されたフレームに基づいて、前記液晶パネルの透過率を制御する表示制御手段と、
を有し、
前記発光制御手段が前記第１フレームに基づく第１発光輝度で前記バックライトの制御を開始する第１のタイミングは、前記表示制御手段が前記第１発光輝度に基づいて補正された前記第２フレームに基づいて前記液晶パネルの前記透過率の制御を開始する第２のタイミングよりも遅く、
前記発光制御手段は、前記設定手段により第１動作モードが設定された場合の前記第１のタイミングと前記第２のタイミングとの差が、前記設定手段により第２動作モードが設定された場合よりも長くなるように、前記バックライトの発光を制御する
ことを特徴とする表示装置。
【請求項２】
前記第１のタイミングと前記第２のタイミングとの差は、前記液晶素子の透過率の応答速度に対応する期間であることを特徴とする、請求項１に記載の表示装置。
【請求項３】
前記第２フレームは、前記第１フレームの直後に入力されるフレームであることを特徴とする請求項１または請求項２に記載の表示装置。
【請求項４】
前記表示制御手段は、周期的に入力される垂直同期信号に同期して、前記液晶パネルの透過率の制御を開始することを特徴とする請求項１乃至３のいずれか１項に記載の表示装置。
【請求項５】
前記第１フレームと前記第２フレームとの間にシーンチェンジがあったか否かを判定する判定手段をさらに備え、
前記発光制御手段は、前記判定手段が前記第１フレームと前記第２フレームとの間にシーンチェンジがあったと判定した場合、前記第１のタイミングと前記第２のタイミングとの差が第１の期間となるように前記バックライトの発光を制御し、前記判定手段が前記第１フレームと前記第２フレームとの間にシーンチェンジがないと判定した場合、前記第１のタイミングと前記第２のタイミングとの差が前記第１の期間よりも短い第２の期間となるように前記バックライトの発光を制御することを特徴とする、請求項１乃至４のいずれか１項に記載の表示装置。
【請求項６】
前記判定手段は、前記第１フレームの画素値の平均値が暗部閾値以下であり、かつ、前記第２フレームの画素値の平均値と前記第１フレームの画素値の平均値との差が差分閾値よりも大きい場合に、前記第１フレームと前記第２フレームとの間でシーンチェンジがあったと判定することを特徴とする請求項５に記載の表示装置。
【請求項７】
ユーザの指示に応じて前記表示装置の表示輝度の上限値を設定する設定手段をさらに備え、
前記表示輝度の上限値が第１輝度である場合の第１暗部閾値は、前記表示輝度の上限値が前記第１輝度よりも低い第２輝度である場合の第２暗部閾値よりも高いことを特徴とする請求項６に記載の表示装置。
【請求項８】
前記表示輝度の上限値が前記第１輝度である場合の第１差分閾値は、前記表示輝度の上限値が前記第２輝度である場合の第２差分閾値よりも低いことを特徴とする請求項７に記載の表示装置。
【請求項９】
前記発光制御手段は、ＯＳＤ（オンスクリーン・ディスプレイ）を表示する場合、前記第１のタイミングと前記第２のタイミングとの差が少なくとも１フレーム以上となるように前記バックライトの発光を制御することを特徴とする、請求項１乃至８のいずれか１項に記載の表示装置。
【請求項１０】
個別に発光を制御可能な複数の発光領域を備えるバックライトと、複数の液晶素子を備え、前記バックライトからの光を透過して画像を表示する液晶パネルと、を備え、第１フレームと第２フレームとを含む複数のフレームが順に入力され、各フレームに基づく画像を表示する表示装置の制御方法であって、
複数の動作モードのうち、いずれかの動作モードを設定する設定工程と、
各発光領域に対応するフレームの部分領域に応じた発光輝度で、各発光領域の発光を制御する発光制御工程と、
各発光領域の発光輝度に基づいて補正されたフレームに基づいて、前記液晶パネルの透過率を制御する表示制御工程と、
を有し、
前記発光制御工程で前記第１フレームに基づく第１発光輝度で前記バックライトの制御が開始される第１のタイミングは、前記表示制御工程で前記第１発光輝度に基づいて補正された前記第２フレームに基づいて前記液晶パネルの前記透過率の制御が開始される第２のタイミングよりも遅く、
前記発光制御工程は、前記設定工程で第１動作モードが設定された場合の前記第１のタイミングと前記第２のタイミングとの差が、前記設定工程で第２動作モードが設定された場合よりも長くなるように、前記バックライトの発光を制御する
ことを特徴とする表示装置の制御方法。
【手続補正２】
【補正対象書類名】明細書
【補正対象項目名】０００８
【補正方法】変更
【補正の内容】
【０００８】
上述した課題を解決するために、本発明の表示装置は、第１フレームと第２フレームとを含む複数のフレームが順に入力され、各フレームに基づく画像を表示する表示装置であって、個別に発光を制御可能な複数の発光領域を備えるバックライトと、複数の液晶素子を備え、前記バックライトからの光を透過して画像を表示する液晶パネルと、複数の動作モードのうち、いずれかの動作モードを設定する画質設定手段と、各フレームに基づいて各発光領域の発光輝度を制御する発光制御手段と、各発光領域の発光輝度に基づいて補正されたフレームに基づいて、前記液晶パネルの透過率を制御する表示制御手段と、を有し、前記発光制御手段が前記第１フレームに基づく第１発光輝度で前記バックライトの制御を開始する第１のタイミングは、前記表示制御手段が前記第１発光輝度に基づいて補正された前記第２フレームに基づいて前記液晶パネルの前記透過率の制御を開始する第２のタイミングよりも遅く、前記発光制御手段は、前記設定手段により第１動作モードが設定された場合の前記第１のタイミングと前記第２のタイミングとの差が、前記設定手段により第２動作モードが設定された場合よりも長くなるように、前記バックライトの発光を制御することを特徴とする。